(57)【特許請求の範囲】
【請求項１】
遊技球が転動可能な遊技領域を有する遊技板を本体枠と透明板保持枠との間に設けた弾球遊技機であって、
上下両端部に第１軸支部が設けられた組付基部材と、
前記第１軸支部に軸支することで水平面内で回転可能に支持された中継部材と、
該中継部材の上下両端部に設けられた第２軸支部に軸支することで水平面内で回転可能に支持された遊技板ホルダとを備え、
前記組付基部材が前記本体枠の内側縁に着脱自在に組み付けられるようにしたことを特徴とする弾球遊技機。
【請求項２】
前記遊技板の一側縁に係合部を設け、該係合部が前記遊技板ホルダに着脱可能に係合されるようにした請求項１に記載した弾球遊技機。
【発明の詳細な説明】
【技術分野】
【０００１】
本発明は、パチンコ，アレンジボール，雀球等の遊技球が転動可能な遊技領域を有する遊技板を備えた弾球遊技機に関するものである。
【背景技術】
【０００２】
一般にパチンコ遊技機等の弾球遊技機は、方形枠状の機枠の一側縁に本体枠（前面枠または遊技機本体とも称される）が水平面内で回転可能（開閉可能）なるように軸支され、該本体枠に遊技球が転動可能な遊技領域を有する遊技板が取り付けられ、さらに該本体枠の一側縁に透明板保持枠（ガラス枠または前面扉とも称される）が回転可能なるように軸支され、該本体枠の他側縁の前面側に位置するシリンダ錠に特定のキーを挿入し、該キーを一方向に回転することにより該シリンダ錠が解錠され、該透明板保持枠が前方に開放可能となる。また、前記キーを反対方向に回転操作することによっては前記本体枠が前方に開放可能となるように構成される。
【０００３】
なお、近年、パチンコ遊技機は、リサイクルや経済性の観点から前記遊技板が交換可能に構成され、例えば下記特許文献１の図９〜図１２に示されたパチンコ遊技機では、遊技機の前面側から操作できるクランプ装置を設け、該クランプ装置を操作することにより遊技板を該遊技機の前面側から交換できるようにしている。
また、特許文献２の図２、および、特許文献３に遊技板と透明板保持枠とをワンセットとして交換し得るようにしたパチンコ遊技機が示されている。このように遊技板と透明板保持枠とをワンセットにすることによっては、交換作業を容易にするとともに、遊技板のデザインと透明板保持枠のデザインとが常に調和するものにできる利点がある。
【先行技術文献】
【特許文献】
【０００４】
【特許文献１】特開２０１０−２２５９１号公報
【特許文献２】特開２００５−６９４１号公報
【特許文献３】特許第４６９９３９７号公報
【発明の概要】
【発明が解決しようとする課題】
【０００５】
ところで、上記特許文献１に示されたような遊技板をクランプ装置により固定した弾球遊技機では、このクランプ装置がスペースを占有するので、遊技板に装飾ランプ、或いはその他の大型の演出装置を設けるスペースが狭くなってしまうという問題があるとともに、遊技板交換時に該遊技板を片方の手で支持しつつ、他方の手でクランプ装置等を操作する必要があったので、取付け，取外しが容易でないという問題がある。
【０００６】
また、近時のパチンコ遊技機は、遊技板の裏側に液晶表示装置や遊技制御基板を設けているほか、該液晶表示装置の前面にキャラクター等を出没させる大型の可動装飾装置（ギミックと称される）を演出効果を増すために設けることが多い。このため、これらの装置が嵩張り、遊技板の裏側全体が大きく出っ張った形態となる。ところが、このように出っ張っていると、遊技板を組み付けのために回転させると、その出張部分が本体枠の内縁に衝突してしまうという問題がある。即ち、本体枠は前面から遊技板を真直ぐに進入させれば収められるような大きさの枠状に形成されているが、出張部分が大きいと該遊技板を回転させた際に該出張部分が該本体枠の内縁に衝突するので、このような遊技板は本体枠に装着できなくなるといった問題がある。本発明はこうした問題点を解決しようとするものである。
【課題を解決するための手段】
【０００７】
そのために本発明は、遊技球が転動可能な遊技領域を有する遊技板を本体枠と透明板保持枠との間に設けた弾球遊技機であって、上下両端部に第１軸支部が設けられた組付基部材と、前記第１軸支部に軸支することで水平面内で回転可能に支持された中継部材と、該中継部材の上下両端部に設けられた第２軸支部に軸支することで水平面内で回転可能に支持された遊技板ホルダとを備え、前記組付基部材が前記本体枠の内側縁に着脱自在に組み付けられるようにしたことを特徴とする。
【０００８】
また本発明は上記弾球遊技機において、前記遊技板の一側縁に係合部を設け、該係合部が前記遊技板ホルダに着脱可能に係合されるようにしたことを特徴とする。
【発明の効果】
【０００９】
本発明に係る弾球遊技機は、裏側が大きく出っ張った遊技板であっても、出張部分が障害になることなく自在に開閉でき、該遊技板を本体枠に容易に装着し得る。
【図面の簡単な説明】
【００１０】
【図１】本発明に係る弾球遊技機の正面図。
【図２】図１に示した弾球遊技機から透明板保持枠と遊技板を取り外した本体枠の正面図。
【図３】図２の本体枠を斜め上方から見た斜視図。
【図４】図２の本体枠を斜め下方から見た斜視図。
【図５】図３の部分拡大図。
【図６】図２の部分拡大図。
【図７】図４の部分拡大図。
【図８】本発明に係る弾球遊技機のユニットベース部材の斜視図。
【図９】図８に示したユニットベース部材の分解斜視図。
【図１０】図８に示したユニットベース部材を取着したときの本体枠の正面図。
【図１１】図１０に示した本体枠の斜視図。
【図１２】図１０に示した本体枠を斜め下方から見た斜視図。
【図１３】図１２の部分拡大図。
【図１４】本発明に係る弾球遊技機の遊技板の正面図。
【図１５】本発明に係る弾球遊技機の遊技板の斜視図。
【図１６】本発明に係る遊技板を装着した弾球遊技機の正面図。
【図１７】図１６の斜視図。
【図１８】図１７の部分拡大図。
【図１９】図１６の弾球遊技機を斜め下方から見た斜視図。
【図２０】図１９の部分拡大図。
【図２１】本発明に係る遊技板を装着した弾球遊技機の要部の水平断面図。
【図２２】図２１の作動状態図。
【図２３】本発明に係る弾球遊技機の透明板保持枠ヒンジ部材の斜視図。
【図２４】本発明に係る弾球遊技機の透明板保持枠ヒンジ部材の取付部の斜視図。
【図２５】本発明に係る弾球遊技機の透明板保持枠ヒンジ部材の取付部の縦断面図。
【図２６】本発明に係る透明板保持枠ヒンジ部材を取付した弾球遊技機の斜視図。
【図２７】本発明に係る透明板保持枠ヒンジ部材を取付した弾球遊技機の斜視図。
【図２８】本発明に係る透明板保持枠を取付した弾球遊技機の斜視図。
【発明を実施するための形態】
【００１１】
次に本発明に係る弾球遊技機の実施形態をパチンコ遊技機について図面に従い説明する。図１はこのパチンコ遊技機の正面図であり、図２はこのパチンコ遊技機から透明板保持枠１と遊技板２を取り外した状態の正面図、図３はこれを斜め上方から見た斜視図、図４は斜め下方から見た斜視図で、方形枠状の機枠３の一側縁の下部に受片４が前方に張り出すように突設され、上部に受片５が前方に張り出すように突設され、該各受片４，５の上面に支軸４ａ，５ａが突設されている。一方、６は該機枠３の内側に合致するように合成樹脂により成形された本体枠で、該本体枠６の一側縁の下部と上部にそれぞれ受片７，８が突設され、該受片７，８に開設された透孔に前記支軸４ａ，５ａを貫挿し、該受片７，８を前記受片４，５上に支持することにより、該本体枠６は該支軸４ａ，５ａを支点として水平面内で回転自在、即ち、前方へ開閉可能なるように設けられる。
【００１２】
また、図５にも示したように該本体枠６の一側縁の下部寄りに受金具１０を突設し、前記受片７と該受金具１０との間に操作盤ユニット１３を支軸１１，１２によって水平面内で回転自在、即ち、前方へ開閉可能なるように軸支している。該操作盤ユニット１３には球受皿１４，操作盤１５，発射ハンドル１６および周知の遊技球発射装置等が設けられる。また、本体枠６の裏側には、いずれも図示しないが、周知の景品球払出装置，景品球タンク，遊技制御回路基板ボックス等が設けられる。
【００１３】
また、前記受金具１０の上面にはビス１７により合成樹脂製板状の受部１８が固着され、該受部１８の上面に複数の位置決軸１９を突設するとともに、前後方向に長い凹溝２０および起立縁２２ａを形成する。なお、該凹溝２０には後述するユニットベース部材４０を構成する組付基部材４１の下部が遊嵌される。そして、起立縁２２ａにより該組付基部材４１の幅方向動が規制される。このことからこの部分は該組付基部材４１の幅方向動規制部材となり得る。また、本体枠６の上部の前記受片８と受部１８との間の該本体枠６の内側縁に前後動規制部材２１をビス２２により固着する。該前後動規制部材２１は、図２１に横断面図を示したように鋼板を横断面鉤状に折曲して一側縁に規制片２３を形成するとともに、一対の円錐形の位置決ピン２４を突設してなる。なお、該前後動規制部材２１が固着された本体枠６の内側縁の後側縁にはリブ２５が形成されている。
また、本体枠６の上部にも後述するユニットベース部材４０の組付基部材４１の幅方向動を規制し得る幅方向動規制部材が設けられる。該幅方向動規制部材は、図６，図７に示したように、本体枠６の内側縁上部（本体枠６の上辺部の下面）に前記前後動規制部材２１側に相対するように板状のストッパ２７の基端部を枢軸２８により軸支し、該ストッパ２７にバネ２９を係合することにより該バネ２９の弾性で該ストッパ２７が下向きに付勢され、該ストッパ２７の先端部２７ａが該本体枠６の内側縁から突出するように構成される。ストッパ２７には一体に摘子部３０が形成されている。なお、該ストッパ２７の前方であって本体枠６の上辺部の下面から垂下するように止片２６が形成されている。
【００１４】
図８に示したユニットベース部材４０は、図９に分解斜視図を示したように、組付基部材４１と中継部材４２と遊技板ホルダ４３とからなるもので、該組付基部材４１は鋼板製幅板の後側縁に折曲縁４４を形成し、下端部を内側に直角に折り曲げて下方支部４５を形成し、該下方支部４５に前記凹溝２０に遊嵌し得る縁片４６を形成し、該下方支部４５の前方延部に前記位置決軸１９に合致する透孔４７を形成するとともに支軸４８を形成している。なお支軸４８は大径部４８ａと小径部４８ｂとからなる。また該組付基部材４１の上端部を内側に直角に折り曲げることで上方支部４９が形成され、該上方支部４９の下面に樹脂板５０を固着し該樹脂板５０の下面に一端が前方に開口した入口５１を有する円弧状の案内溝５２が形成される。なお、該樹脂板５０の先端部前側縁には上方に突出する位置決片５０ａが形成される。
また該上方支部４９の前方延部に当板５３をビス５４によって固着し該当板５３に固着された筒状軸５５を該上方支部４９の前方延部に貫通させ、該筒状軸５５を前記支軸４８と対向させている。また、該組付基部材４１には前記位置決ピン２４が嵌着する一対の透孔５６が開設されている。なお、前記下方支部４５の先端縁には上向折曲によりストッパ片５７を形成している。
【００１５】
また、前記中継部材４２は鋼板製幅板の上下両端部をそれぞれ段状に直角に折り曲げ、下部折曲片５８の先端部に前記支軸４８の大径部４８ａが遊嵌する透孔５９を形成し、上部折曲片６０の先端部には前記筒状軸５５が遊嵌する透孔６１を形成している。このため、透孔５９に大径部４８ａを遊嵌し、透孔６１に筒状軸５５を遊嵌することにより、第１軸支部が構成され、第１軸支部によって該中継部材４２は組付基部材４１の下方支部４５と上方支部４９との間に水平面内で回転自在なるように設けられる。なお、前記ストッパ片５７に下部折曲片５８が衝突することで該中継部材４２の回転範囲が制限される。
また、該中継部材４２の下部折曲片５８および上部折曲片６０であって前記透孔５９，６１から少し離れた位置に第２軸支部となる一対の支軸６３を相対するように突設する。そして、該支軸６３を前記遊技板ホルダ４３の上下両端部に形成された透孔６３ａに貫挿し、該中継部材４２の下部折曲片５８の基部と上部折曲片６０の基部との間に該遊技板ホルダ４３が該第２軸支部を支点として水平面内で回転自在なるように支持される。なお、該遊技板ホルダ４３は、上下端部寄りが横断面コ字形に形成され、その内面間に一対の係合軸６４を横架するとともに、ビス６５により板バネ６６を固着することにより該板バネ６６をその内面に突出させ、該板バネ６５と相対する該遊技板ホルダ４３の内面に一対の合成樹脂製のスライドシュー６７をビス６８で固着している。
なお、前記案内溝５２は、その入口５１に近い略半分は上記第１軸支部を中心とする円弧状に形成され、その後側略半分は上記第２軸支部を中心とする円弧状に形成されている。
【００１６】
こうして構成されたユニットベース部材４０は、幅方向（即ち、図１０に破断線で示したように本体枠６の内方）に少し傾斜させた状態で組付基部材４１の下方支部４５を前記受部１８上に乗せ、縁片４６を前記凹溝２０中に位置させた後、該組付基部材４１を矢印示したように起立させる。このとき、該組付基部材４１の上方支部４９の樹脂板５０を本体枠６の上辺部の下面からストッパ２７の下面に当たってスライドする。このため、該樹脂板５０によりストッパ２７は上方に押圧されてバネ２９の弾性に抗して上方に回転し、さらにその状態から該ユニットベース部材４０を垂直に起立させることにより、該樹脂板５０が該ストッパ２７の下面を通り過ぎることで、図１２，図１３に示したようにバネ２９の弾性によって該ストッパ２７は元のように下方に突出し、該ストッパ２７の先端部２７ａによって該樹脂板５０が止着され、該上方支部４９は幅方向への移動が止められるようになる。また、このように該ユニットベース部材４０を垂直に起立させたとき、前記縁片４６は前記起立縁２２ａに当たって幅方向への移動が規制されることから、該ユニットベース部材４０は幅方向に移動しないようになりその起立状態が保たれる。またそのとき透孔５６に前記位置決ピン２４が嵌着するとともに、該組付基部材４１は前記前後動規制部材２１の規制片２３と本体枠６内側縁のリブ２５との間に入り込み、前後方向への移動も規制される。さらに、該ユニットベース部材４０を起立状態としたときに前記位置決片５０ａが前記止片２６の内側に位置することによってもこの前後方向への移動が規制される。
このため、該ユニットベース部材４０の組付基部材４１は、図１１〜図１３に示したように、本体枠６の一側縁の内側に移動不能に止着される。なお、前記凹溝２０はユニットベース部材４０を図１０に破断線で示したように受部１８上にて傾斜させることを可能にする。このように、ユニットベース部材４０は傾斜させて前記受部１８上に乗せて起立させるだけでワンタッチで止着される。またこの止着状態では、組付基部材４１の下方支部４５は透孔５６に前記位置決ピン２４が嵌着すること、および該下方支部４５が受部１８の起立縁２２ａに当たることにより幅方向への移動が規制され、上方支部４９は樹脂板５０がストッパ２７の先端部２７ａに当たることにより幅方向への移動が規制され、さらに、該組付基部材４１は規制片２３と本体枠６内側縁のリブ２５の間に位置して前後方向への移動が規制されることから、大荷重が掛かっても幅方向および前後方向に移動するおそれなく強固に止着される。
なお、この実施形態では、組付基部材４１の前後方向の規制を、前後動規制部材２１の規制片２３と、本体枠６の内側縁の後側縁に設けたリブ２５とにより可能にしたが、前後動規制部材２１の鋼板を横断面コ字状に形成し前後方向の規制をするようにしてもよい。
【００１７】
遊技板２は、図１４，図１５に組立途中のものを示したように大きな開口７１が形成された合成樹脂製の略正方形の板体であって、該板体の裏側にケース７２が突出状に固設され、該ケース７２の背面部に開口７１と対面するように液晶図柄表示装置７３が設けられる。なお、ここに示した遊技板２は組立途中であるので図示していないが、図１に示したように、該遊技板２の前面に球誘導レールに包囲されていて多数の障害釘が固植され遊技球が自由に転動可能な遊技領域７４が形成され、該遊技領域に入賞装置７５等が設けられるほか、ギミックと称される可動装飾装置７６が設けられる。該可動装飾装置７６は、ケース７２内に設けられたモータ等の駆動機構を作動させることにより液晶図柄表示装置７３の前面に出現したり、該ケース７２内に収容されて遊技者の視界から隠れたりする。
そして、該遊技板２の一側縁に該遊技板２の一側縁の下部に下方に向けて開口するように固設された二股状の係合片７７ａとその上部に固設された鉤状であって下方に向けて開口する係合片７７ｂとからなる係合部７７が設けられる。また、該係合片７７ｂの取付基部に案内ピン７９が上方に突出するように設けられている。また、該遊技板２の他側縁（自由側縁）には一対の鉤状の鉤状部８０が形成された止金具８１が固設されている。
【００１８】
このため前記遊技板ホルダ４３内に該遊技板２の一側縁を差し込んで一対の係合軸６４にそれぞれ係合片７７ａ，７７ｂを係合させることにより該遊技板２は該遊技板ホルダ４３に着脱可能に保持される。このように遊技板ホルダ４３内に差し込んだとき、該遊技板２の一側縁が板バネ６６とスライドシュー６７によって挟着されることで該遊技板２は遊技板ホルダ４３にガタツキなく保持することができる。こうして遊技板ホルダ４３に差し込まれた遊技板２を本体枠６内に組み込むに際しては、先ず中継部材４２を第１軸支部である前記支軸４８，筒状軸５５を支点として後方に回転させることで第２軸支部である支軸６３が図２１に示したように本体枠６の内側に位置するようにした後、該支軸６３を支点として遊技板２を矢印で示したように回転させる。こうすることによって該遊技板２は背面にケース７２が大きく突出状に設けられていても衝突することなく装着することができる。なお、このとき遊技板２に設けられた案内ピン７９は案内溝５２に遊嵌することから、該遊技板２は常に該案内溝５２に誘導されて回転する。このように案内ピン７９と案内溝５２を設けたことで、遊技板２は常に該案内溝５２の円弧状の軌跡に従い回転することから、支軸６３が必ず本体枠６の内側の定位置になってから該支軸６３を支点として該遊技板２が回転し得るようになる。このためこのような遊技板案内手段を設けたことで、遊技板２を本体枠６内により容易に組み込めるようになる。
【００１９】
前記透明板保持枠１は、図２８に示したように、裏面下辺部にレール状の縁材３１が突設され、裏面上辺部には回転可能なるように一対の係合爪３２が設けられ、該縁材３１上に二重の板ガラスからなる透明板３３が支持されるとともに、該透明板３３の上縁部に該係合爪３２を係合することで該透明板３３を着脱可能に取り付けたものである。そして該透明板保持枠１の裏面の一側縁に図２３に示したヒンジ部材３４がビス止めされる。該ヒンジ部材３４は下端折曲部３５に軸受孔３６が形成され、図２４に示したように該軸受孔３６に前記支軸４８の小径部４８ｂが遊嵌されるようにしている。また、該ヒンジ部材３４の上部にはツマミ３７を上下に操作することにより上下動し得る支軸３８が設けられる。図２５はこの部分の詳細を示し、該支軸３８は該ヒンジ部材３４の上部に設けられた軸受部３９により上下動自在に支持され、コイルバネ８８が該支軸３８を上向きに付勢することで該支軸３８の上端部が突出し、該上端部が前記筒状軸５５中に遊嵌する。このようにして、第１軸支部と同様に第３軸支部が構成される。なお、図２６はこうして透明板保持枠１及び透明板１１の図示を省略したヒンジ部材３４をユニットベース部材４０に組み付けた状態を示し、図２７には該ヒンジ部材３４を前方に回転させた状態、図２８には該ヒンジ部材３４に透明板保持枠１が止着された状態を示す。こうして該透明板保持枠１は、ヒンジ部材３４を介し前記支軸４８と支軸３８により開閉自在に枢着される。なお、該透明板保持枠１の他側縁には、遊技板２に設けられた鉤状部８０に係合し、該透明板保持枠１と前記遊技板３とを閉状態に保持するための鉤状部８９とスプリング等の弾性部材（図示しない）が設けられている。これにより遊技板２，ユニットベース部材４０をワンセットにして（パチンコホール）へ運搬する際に、透明板保持枠１の他側縁が開閉することなく安全に行うことができる。
【００２０】
一方、本体枠６の他側縁には、該本体枠６と遊技板２と透明板保持枠１を閉状態に保持するための施錠装置９０が設けられる。該施錠装置９０は公知の構造であるので詳細は省略するが、本体枠６の他側縁の下部寄りに鍵孔が前面に露呈するようにシリンダ錠９１が設けられ、前記鉤状部８０に係合し得る係合片９２および前記係合部８９に係合し得る係合片９３，９４がそれぞれ該本体枠６の他側縁に前方に突出するように設けられ、該シリンダ錠９１に差し込んだキーを回転操作し、該係合片９２および係合片９３，９４を上下動させ、前記鉤状部８０および鉤状部８９に係脱させることにより、遊技板２および透明板保持枠１を開閉し得るようにしている。
【００２１】
遊技板２を交換するに際しては、透明板保持枠１を開いたうえで該遊技板２を前記第２軸支部である支軸６３を支点として前方に回転させ、その後、第１軸支部である前記支軸４８，筒状軸５５を支点として中継部材４２を前方に回転させることで、該遊技板２を遊技板ホルダ４３とともに本体枠６内から前方に出すことができ、そのときケース７２が衝突することがない。また、その状態で前記摘子部３０に指をかけてストッパ２をバネ２９の弾性に抗して押し上げることにより上方支部４９との係合が外れ、組付基部材４１を内側へ傾斜し得るようになるので、ユニットベース部材４０を本体枠６から離脱させることができる。このようにこのパチンコ遊技機では、ユニットベース部材４０を本体枠６に着脱自在なるように設けたことから、遊技板２を透明板保持枠１とをワンセットとして簡単に取り外すことができる。即ち、遊技板２と透明板保持枠１とはともにユニットベース部材４０に枢着されていることから、交換が容易となる。
なお、遊技板２と透明板保持枠１とをワンセットとして取り外さず、遊技板２、透明板保持枠１、ユニットベース部材４０を順次別々に取り外すようにしても構わない。
そして、遊技板２、透明板保持枠１、ユニットベース部材４０を本体枠６に対して組み付ける場合には、遊技板２、透明板保持枠１、ユニットベース部材４０をワンセットで組み付けることも、ユニットベース部材４０を組み付け、その後、遊技板２と透明板保持枠１とを任意の順番で組み付けることもできる。
【符号の説明】
【００２２】
１                  透明板保持枠
２                  遊技板
３                  機枠
４，５              受片
４ａ，５ａ          支軸
６                  本体枠
７，８              受片
１０                受金具
１１，１２          支軸
１３                操作盤ユニット
１４                球受皿
１５                操作盤
１６                発射ハンドル
１７                ビス
１８                受部
１９                位置決軸
２０                凹溝
２１                前後動規制部材
２２                ビス
２２ａ              起立縁
２３                規制片
２４                位置決ピン
２５                リブ
２６                止片
２７                ストッパ
２７ａ              先端部
２８                枢軸
２９                バネ
３０                摘子部
３１                縁材
３２                係合爪
３３                透明板
３４                ヒンジ部材
３５                下端折曲部
３６                軸受孔（第３軸支部）
３７                ツマミ
３８                支軸（第３軸支部）
３９                軸受部
４０                ユニットベース部材
４１                組付基部材
４２                中継部材
４３                遊技板ホルダ
４４                折曲縁
４５                下方支部
４６                縁片
４７                透孔
４８                支軸（第１軸支部）
４８ａ              大径部（第１軸支部）
４８ｂ              小径部（第３軸支部）
４９                上方支部
５０                樹脂板
５０ａ              位置決片
５１                入口
５２                案内溝
５３                当板
５４                ビス
５５                筒状軸（第１軸支部、第３軸支部）
５６，５９，６１    透孔
５７                ストッパ片
５８                下部折曲片
６０                上部折曲片
６３                支軸（第２軸支部）
６３ａ              透孔（第２軸支部）
６４                係合軸
６５，６８          ビス
６６                板バネ
６７                スライドシュー
７１                開口
７２                ケース
７３                液晶図柄表示装置
７４                遊技領域
７５                入賞装置
７６                可動装飾装置
７７                係合部
７７ａ，７７ｂ      係合片
７８                係合片
７９                案内ピン
８０                鉤状部
８１                止金具
８８                コイルバネ
８９                鉤状部
９０                施錠装置
９１                シリンダ錠
９２，９３，９４    係合片
【図１】
0006453657.tif 000002
【図２】
0006453657.tif 000003
【図３】
0006453657.tif 000004
【図４】
0006453657.tif 000005
【図５】
0006453657.tif 000006
【図６】
0006453657.tif 000007
【図７】
0006453657.tif 000008
【図８】
0006453657.tif 000009
【図９】
0006453657.tif 000010
【図１０】
0006453657.tif 000011
【図１１】
0006453657.tif 000012
【図１２】
0006453657.tif 000013
【図１３】
0006453657.tif 000014
【図１４】
0006453657.tif 000015
【図１５】
0006453657.tif 000016
【図１６】
0006453657.tif 000017
【図１７】
0006453657.tif 000018
【図１８】
0006453657.tif 000019
【図１９】
0006453657.tif 000020
【図２０】
0006453657.tif 000021
【図２１】
0006453657.tif 000022
【図２２】
0006453657.tif 000023
【図２３】
0006453657.tif 000024
【図２４】
0006453657.tif 000025
【図２５】
0006453657.tif 000026
【図２６】
0006453657.tif 000027
【図２７】
0006453657.tif 000028
【図２８】
0006453657.tif 000029